(57)【要約】【課題】結合対象となり得るデータを適切に選択して結合できる記録再生装置を提供することである。【解決手段】システムコントロールマイコン１３は、操作部１４を介して、結合元となる音楽データが指定され、結合（ＣＯＭＢＩＮＥ）が指示されると、結合元のトラックモードを読み出すと共に、他の全音楽データのトラックモードをディスクｄから読み出す。そして、結合元のトラックモードと合致するトラックモードの存在を判別し、合致するトラックモードの音楽データが存在する場合に、結合可能な音楽データだけを、結合対象として選択できるように表示パネル１５に表示する。結合対象の音楽データの選択を受けると、システムコントロールマイコン１３は、ＭＤメカコントロールマイコン２１を制御して、それぞれの音楽データをディスクｄ上にて結合する。【選択図】　図１
2004079006.tif 000002
【特許請求の範囲】
【請求項１】
複数のデータが記録された所定の記録媒体から、第１のデータを指定する指定手段と、
前記指定手段により指定された第１のデータの少なくとも種別と合致するデータを記録媒体から特定する特定手段と、
前記特定手段により特定されたデータの内から第２のデータを選択する選択手段と、
前記指定手段により指定された第１のデータと、前記選択手段により選択された第２のデータとを結合する結合手段と、
を備えることを特徴とする記録再生装置。
【請求項２】
複数の音楽データが記録された所定の記録媒体から、結合元の音楽データを指定する指定手段と、
前記指定手段により指定された音楽データの少なくとも種別及びプロテクト状態から、結合元の音楽データと結合可能な音楽データを記録媒体から特定する特定手段と、
前記特定手段により特定された音楽データを結合可能な対象として提示する提示手段と、
前記提示手段により提示された音楽データの内から結合対象となる音楽データを選択する選択手段と、
前記指定手段により指定された音楽データと、前記選択手段により選択された音楽データとを結合する結合手段と、
を備えることを特徴とする記録再生装置。
【請求項３】
前記特定手段は、種別及び／又はプロテクト状態を含むトラックモードが合致する音楽データを特定する、
ことを特徴とする請求項２に記載の記録再生装置。
【請求項４】
複数の音楽データが記録された書き換え可能なディスクから、各音楽データの種別及びプロテクト状態を規定するトラックモードを読み出す読み出し手段と、
前記読み出し手段により読み出されたトラックモードを各音楽データに対応付けて記憶する記憶手段と、
ディスクから結合元の音楽データを指定する指定手段と、
前記記憶手段に記憶されたトラックモードに従って、前記指定手段により指定された音楽データの少なくとも種別及びプロテクト状態から、結合元の音楽データと結合可能な音楽データを特定する特定手段と、
前記特定手段により特定された音楽データを結合可能な対象として提示する提示手段と、
前記提示手段により提示された音楽データの内から結合対象となる音楽データを選択する選択手段と、
前記指定手段により指定された音楽データと、前記選択手段により選択された音楽データとを結合する結合手段と、
を備えることを特徴とする記録再生装置。
【請求項５】
複数の音楽データが記録された所定の記録媒体から、結合元の音楽データを指定する指定ステップと、
前記指定ステップにて指定された音楽データの少なくとも種別及びプロテクト状態から、結合元の音楽データと結合可能な音楽データを記録媒体から特定する特定ステップと、
前記特定ステップにて特定された音楽データを結合可能な対象として提示する提示ステップと、
前記提示ステップにて提示された音楽データの内から結合対象となる音楽データを選択する選択ステップと、
前記指定ステップにて指定された音楽データと、前記選択ステップにて選択された音楽データとを結合する結合ステップと、
を備えることを特徴とするデータ結合方法。
【発明の詳細な説明】
【０００１】
【発明の属する技術分野】
この発明は、記録再生装置およびデータ結合方法に関する。
【０００２】
【従来の技術】
従来より、パーソナルコンピュータ（パソコン）等のコントロール機器に接続されて使用されるプリンタやモデム等の電子機器が知られている。このような電子機器は、例えば、ＲＳ２３２Ｃやセントロニクス等のインタフェースを備えており、所定のケーブルを介してコントロール機器と接続され、コントロール機器からの制御等に従って動作する。
近年では、パソコン等（コントロール機器）に採用されたインタフェース規格としてＵＳＢ（Ｕｎｉｖｅｒｓａｌ　Ｓｅｒｉａｌ　Ｂｕｓ）等が注目されている。このＵＳＢは、パソコンにおいて導入されている一般的なＯＳ（Ｏｐｅｒａｔｉｎｇ　Ｓｙｓｔｅｍ）にてサポートされており、パソコンの電源を入れたままで電子機器を接続できるホット・プラグ・インや、電子機器を使用するための設定を自動的に行えるプラグ・アンド・プレイが特徴となっている。
【０００３】
最近では、このＵＳＢを利用して、パソコンとＭＤ（ミニディスク）記録再生機器とを接続する「ＮｅｔＭＤ（登録商標）」と呼ばれる新しいインターフェース規格が策定されている。
このＮｅｔＭＤ規格は、音楽ＭＤにおける拡張規格であり、強固な著作権保護技術に基づいて、パソコンのハードディスク上に記録された音楽データをＭＤ記録再生機器に転送し、市販の記録用ＭＤに記録するものである。その際、デコード前の状態の音楽データがそのまま転送されるため、デコード／エンコード等に伴う音質劣化が防止される。また、再生に伴う録音と異なり、実質的なデータ転送であるため、通常録音時と比べて数倍〜数十倍の速さで記録が終了する。
【０００４】
各オーディオメーカ等は、このような特徴を有するＮｅｔＭＤ規格に対応したＭＤ記録再生機器を各種製造し、市場への投入を開始している。そして、パソコンを所有している利用者の間に、このようなＭＤ記録再生機器が徐々に普及して来ている。
【０００５】
上述したように、ＮｅｔＭＤ規格は、強固な著作権保護技術が特徴の一つとして挙げられ、無秩序な音楽データの拡散を防止している。具体的には、チェックアウト・チェックイン機能によって、著作権保護の実効が図られている。
ここで、チェックアウトとは、音楽データ（コンテンツ）をパソコンからＭＤ記録再生機器に転送（記録用ＭＤにコピー）することを言う。
また、チェックインとは、チェックアウトによってＭＤ記録再生機器に転送され記録された音楽データ（実際には、コンテンツハッシュ）を、パソコン（転送元となる同一のパソコン）に戻すことにより、ＭＤ記録再生機器にてその音楽データを使用不能とさせることを言う。
【０００６】
このようなＮｅｔＭＤ規格にてチェックアウトされた音楽データが記録されたＭＤは、通常のＭＤレコーダ等の記録再生機器でも再生等が可能となっている。例えば、ＭＤＬＰ規格に対応した記録再生機器では、音楽データがＭＤに「ＡＴＲＡＣ３　ＬＰ２」や「ＡＴＲＡＣ３　ＬＰ４」の長時間記録モードにてチェックアウトされた場合であっても、再生等が可能である。
【０００７】
以下、従来の記録再生機器について、図１２に示すブロック図を参照して説明する。図示するように、この記録再生装置は、システムコントロールマイコン１１１と、操作部１１２と、表示パネル１１３と、ＭＤメカユニット１２０とを含んで構成される。
【０００８】
システムコントロールマイコン１１１は、ＭＤメカユニット１２０を制御して、ディスクｄ（ＭＤ）に音楽データを記録し、また、ディスクｄに記録された音楽データを再生する。具体的にシステムコントロールマイコン１１１は、所定の制御コマンドを後述するＭＤメカコントロールマイコン１２１に発行することにより、ＭＤメカユニット１２０を制御する。
操作部１１２は、利用者の操作に従って指示信号を生成し、システムコントロールマイコン１１１に供給する。具体的に操作部１１２には、音楽データの編集を指示するための「ＴＲＡＣＫ　ＥＤＩＴキー」、編集項目の変更を指示するための「ＵＰ／ＤＯＷＮキー」、編集項目の選択を指示するための「ＳＥＴキー」、及び、編集の実行を指示するための「ＥＮＴＥＲキー」等が含まれている。そして、これらのキーが利用者により操作されると、操作部１１２は、対応する指示信号をシステムコントロールマイコン１１１に供給する。
表示パネル１１３は、システムコントロールマイコン１１１に制御され、記録再生装置の動作状況を示す文字や図形等を表示する。
【０００９】
ＭＤメカユニット１２０は、ＭＤメカコントロールマイコン１２１と、ヘッドドライバ１２２と、記録ヘッド１２３と、スピンドルモータ１２４と、光ピックアップ１２５と、送りモータ１２６と、ＲＦアンプ１２７と、ディジタル信号処理回路１２８と、バッファメモリ１２９と、から構成される。
【００１０】
ＭＤメカコントロールマイコン１２１は、システムコントロールマイコン１１１から送られる制御コマンドに従って、ディジタル信号処理回路１２８を制御する。
ヘッドドライバ１２２は、記録ヘッド１２３を制御して、ディスクｄに音楽データ等を書き込む。
スピンドルモータ１２４は、ターンテーブル上に搭載されたディスクｄを回転させる。また、光ピックアップ１２５は、送りモータ１２６により運ばれたディスクｄ上から、音楽データ等を読み出し、ＲＦアンプ１２７を介してディジタル信号処理回路１２８に供給する。
【００１１】
ディジタル信号処理回路１２８は、ＡＤＩＰ（ＡＤｄｒｅｓｓ　Ｉｎ　Ｐｒｅ−ｇｒｏｏｖｅ）デコーダ、ＥＦＭ（Ｅｉｇｈｔ　ｔｏ　Ｆｏｕｒｔｅｅｎ　Ｍｏｄｕｌａｔｉｏｎ）デコーダ、ショックプルーフメモリコントローラ、ＡＴＲＡＣ（Ａｄａｐｔｉｖｅ　ＴＲａｎｓｆｏｒｍ　Ａｃｏｕｓｔｉｃ　Ｃｏｄｉｎｇ）用エンコーダ・デコーダ、及び、サーボ制御部として動作する。
バッファメモリ１２９は、再生時等において、所定容量の音楽データを一時的に記憶する。
【００１２】
このような構成の記録再生装置は、ＮｅｔＭＤ規格にてチェックアウトされた音楽データや、通常に録音した音楽データを再生し、また、音楽データを編集（結合、分割、及び、消去等）することができる。
以下、図１２に示す記録再生装置の編集動作の一例について図１３を参照して簡単に説明する。図１３は、ディスクｄに記録された音楽データの内、任意の２つの音楽データを結合（ＣＯＭＢＩＮＥ）させるデータ結合処理を説明するためのフローチャートである。なお、このデータ結合処理は、利用者による操作部１１２の操作に応答して、システムコントロールマイコン１１１により実行される。
【００１３】
まず、システムコントロールマイコン１１１は、ＴＲＡＣＫ　ＥＤＩＴキーが入力されるまで、後続処理の実行を待機する（ステップＳ１０１）。そして、ＴＲＡＣＫ　ＥＤＩＴキーが入力されると、再生動作中であり、かつ、ディスクｄへのデータの書込みが可能な状態であるか否かを判別する（ステップＳ１０２）。
システムコントロールマイコン１１１は、再生動作中でなく、また、書込みが可能な状態でない場合に、ステップＳ１０１に処理を戻す。
【００１４】
一方、再生動作中であり、かつ、書込みが可能な状態である場合に、システムコントロールマイコン１１１は、操作部１１２にてＵＰ／ＤＯＷＮキーが入力され、ＣＯＭＢＩＮＥの項目がＳＥＴキーにより選択されるまで、後続処理の実行を待機する（ステップＳ１０３〜Ｓ１０５）。
ＣＯＭＢＩＮＥの項目が選択されると、システムコントロールマイコン１１１は、ＵＰ／ＤＯＷＮキーが入力され、結合相手となる音楽データ（トラック番号）がＳＥＴキーにより選択されるまで、後続処理の実行を待機する（ステップＳ１０６，Ｓ１０７）。
そして、結合相手が選択されると、システムコントロールマイコン１１１は、ＣＯＭＢＩＮＥを確認するためのメッセージを表示パネル１１３に表示し（ステップＳ１０８）、操作部１１２にてＥＮＴＥＲキーが入力されるのを待機する（ステップＳ１０９）。
【００１５】
ＥＮＴＥＲキーが入力されると、システムコントロールマイコン１１１は、ＣＯＭＢＩＮＥを実行する（ステップＳ１１０）。すなわち、システムコントロールマイコン１１１は、ＭＤメカコントロールマイコン１２１を制御して、指示された２つの音楽データをディスクｄ上にて結合させる。
【００１６】
システムコントロールマイコン１１１は、ＭＤメカコントロールマイコン１２１から返される実行結果が、結合の成功を示す情報であるか否かを判別する（ステップＳ１１１）。
そして、システムコントロールマイコン１１１は、結合が成功しなかった場合に、例えば、「ＣＡＮ’Ｔ　ＥＤＩＴ」のエラーメッセージを表示パネル１１３に表示する（ステップＳ１１２）。一方、結合が成功した場合に、ＣＯＭＢＩＮＥの完了を示すメッセージを表示パネル１１３に表示する（ステップＳ１１３）。
【００１７】
【発明が解決しようとする課題】
上述したディスクｄ（ＭＤ）に記録される各音楽データは、録音モード（ＡＴＲＡＣ３　ＬＰ２，ＡＴＲＡＣ３　ＬＰ４，ＡＴＲＡＣ　ＳＴＥＲＥＯ，ＡＴＲＡＣ　ＭＯＮＯ等）が異なっていたり、プロテクト状態（トラックプロテクトのオン／オフ）が異なっている場合もある。
例えば、通常に録音した音楽データは、トラックプロテクトがオフにセットされるが、チェックアウトした音楽データは、トラックプロテクトがオンにセットされる。
そして、従来の記録再生装置は、上述したデータ結合処理のステップＳ１１０において、ＣＯＭＢＩＮＥを実行する際に、それぞれの音楽データの録音モードやプロテクト状態等を比較し、これらが一致していない場合に、結合をエラーとしている。
【００１８】
しかしながら、利用者にとっては、実際に、操作部１１２を操作してそれぞれの音楽データの結合を指示した後でないと、それらの音楽データが結合可能であるかどうかが分からないという問題があった。つまり、各音楽データの録音モードやプロテクト状態等が一致しているかどうかが、利用者には事前に明らかにされておらず、記録再生装置にてＣＯＭＢＩＮＥが実行され、その実行結果から、結合の可否が判明することになる。
【００１９】
このため、利用者は、結合不能なことを確認するためや、結合可能な音楽データを探るために、その都度、操作部１１２を操作して、音楽データの結合を指示する必要があった。
また、ディスクｄに記録される音楽データが多種多様となっており、結合元や結合対象となる音楽データに、チェックアウトした音楽データも加わっているため、結合がエラーとなった際に表示される「ＣＡＮ’Ｔ　ＥＤＩＴ」等のメッセージだけでは、利用者には何故失敗したのかが分からない場合があった。
そのため、結合対象となり得る音楽データを事前に把握できる仕組みが利用者により望まれていた。
【００２０】
この発明は、上記実状に鑑みてなされたもので、結合対象となり得るデータを適切に選択して結合することのできる記録再生装置およびデータ結合方法を提供することを目的とする。
【００２１】
【課題を解決するための手段】
上記目的を達成するため、本発明の第１の観点に係る記録再生装置は、
複数のデータが記録された所定の記録媒体から、第１のデータを指定する指定手段と、
前記指定手段により指定された第１のデータの少なくとも種別と合致するデータを記録媒体から特定する特定手段と、
前記特定手段により特定されたデータの内から第２のデータを選択する選択手段と、
前記指定手段により指定された第１のデータと、前記選択手段により選択された第２のデータとを結合する結合手段と、
を備えることを特徴とする。
【００２２】
上記目的を達成するため、本発明の第２の観点に係る記録再生装置は、
複数の音楽データが記録された所定の記録媒体から、結合元の音楽データを指定する指定手段と、
前記指定手段により指定された音楽データの少なくとも種別及びプロテクト状態から、結合元の音楽データと結合可能な音楽データを記録媒体から特定する特定手段と、
前記特定手段により特定された音楽データを結合可能な対象として提示する提示手段と、
前記提示手段により提示された音楽データの内から結合対象となる音楽データを選択する選択手段と、
前記指定手段により指定された音楽データと、前記選択手段により選択された音楽データとを結合する結合手段と、
を備えることを特徴とする。
【００２３】
前記特定手段は、種別及び／又はプロテクト状態を含むトラックモードが合致する音楽データを特定してもよい。
【００２４】
上記目的を達成するため、本発明の第３の観点に係る記録再生装置は、
複数の音楽データが記録された書き換え可能なディスクから、各音楽データの種別及びプロテクト状態を規定するトラックモードを読み出す読み出し手段と、
前記読み出し手段により読み出されたトラックモードを各音楽データに対応付けて記憶する記憶手段と、
ディスクから結合元の音楽データを指定する指定手段と、
前記記憶手段に記憶されたトラックモードに従って、前記指定手段により指定された音楽データの少なくとも種別及びプロテクト状態から、結合元の音楽データと結合可能な音楽データを特定する特定手段と、
前記特定手段により特定された音楽データを結合可能な対象として提示する提示手段と、
前記提示手段により提示された音楽データの内から結合対象となる音楽データを選択する選択手段と、
前記指定手段により指定された音楽データと、前記選択手段により選択された音楽データとを結合する結合手段と、
を備えることを特徴とする。
【００２５】
上記目的を達成するため、本発明の第４の観点に係るデータ結合方法は、
複数の音楽データが記録された所定の記録媒体から、結合元の音楽データを指定する指定ステップと、
前記指定ステップにて指定された音楽データの少なくとも種別及びプロテクト状態から、結合元の音楽データと結合可能な音楽データを記録媒体から特定する特定ステップと、
前記特定ステップにて特定された音楽データを結合可能な対象として提示する提示ステップと、
前記提示ステップにて提示された音楽データの内から結合対象となる音楽データを選択する選択ステップと、
前記指定ステップにて指定された音楽データと、前記選択ステップにて選択された音楽データとを結合する結合ステップと、
を備えることを特徴とする。
【００２６】
【発明の実施の形態】
本発明の実施の形態にかかる記録再生装置について、以下図面を参照して説明する。
【００２７】
図１は、この発明の実施の形態に適用される記録再生装置１を含んだシステムの構成の一例を示すブロック図である。図示するように、このシステムは、記録再生装置１と、パソコン３とが、ＵＳＢケーブルＣを介して接続されて構成される。
【００２８】
記録再生装置１は、「ＮｅｔＭＤ（登録商標）」規格に対応したオーディオ機器であり、図示するように、セキュリティ回路１１と、セキュリティコントロールマイコン１２と、システムコントロールマイコン１３と、操作部１４と、表示パネル１５と、ＭＤメカユニット１６と、から構成される。
【００２９】
すなわち、記録再生装置１は、ＮｅｔＭＤ規格に準じて、チェックアウト時に、パソコン３から転送される音楽データを、ディスクｄ（ＭＤ；ミニディスク）に記録する。また、チェックイン時に、ディスクｄに記録した音楽データを、パソコン３に戻す（実際には、コンテンツハッシュを返信すると共に音楽データをディスクｄから削除する）。
なお、これらチェックアウト・チェックイン時に、記録再生装置１は、著作権保護を適切に行うためのコンテンツハッシュ（音楽データに従って、一意的に定まり、音楽データを特定するための情報）を生成して、パソコン３に送信する。
【００３０】
ところで、ディスクｄには、ＵＴＯＣ（Ｕｓｅｒ　Ｔａｂｌｅ　Ｏｆ　Ｃｏｎｔｅｎｔｓ）記録エリアが設けられており、図２に示すようなＵＴＯＣ情報が記憶されている。
このＵＴＯＣ情報は、ディスクｄに記録される音楽データを管理するための情報であり、例えば、図中に斜線で示すエリアにトラックモード（Ｔｒａｃｋ　ｍｏｄｅ）がセットされている。
このトラックモードとは、音楽データの録音モードの種別やプロテクトの可否等を規定する情報であり、図３に示すように、各ビットの値にそれぞれの意味が規定されている。
なお、ＮｅｔＭＤ規格に従ってチェックアウトされた音楽データには、図中のｄ１（Ｗｒｉｔｅ　Ｐｒｏｔｅｃｔ）に、「０」（Ｗｒｉｔｅ　Ｐｒｏｔｅｃｔｅｄ）がセットされる。一方、通常に記録された音楽データには、図中のｄ１に、「１」（Ｗｒｉｔｅ　Ｐｅｒｍｉｔｔｅｄ）がセットされる。
【００３１】
そして、このようなトラックモードの値により、音楽データ同士の結合の可否が判別される。具体的には、図３に示すｄ２（Ｃｏｐｙ　Ｐｒｏｔｅｃｔ）と、ｄ８（Ｅｍｐｈａｓｉｓ）とを除いたビット値が一致するか否かにより、結合の可否が判別される。
例えば、図４に示すように、（ア）のトラックモード（２０ｈ）を基準（結合元）とした場合、（イ）〜（エ）のトラックモードは、それぞれ異なる値であるが、網掛けにて示したｄ２及びｄ８を除いた各ビットを比較すると、何れもが、（ア）のトラックモードと一致している。
このため、（ア）のトラックモードを基準とすると、（イ）〜（エ）の各トラックモードが合致することになり、（ア）の音楽データは、（イ）〜（エ）の何れの音楽データとも結合が可能となる。
【００３２】
図１に戻って、セキュリティ回路１１は、ＵＳＢケーブルＣを介してパソコン３との間で通信を行うためのＵＳＢインタフェースを含んでおり、セキュリティコントロールマイコン１２に制御され、パソコン３との間で認証等を行う。
【００３３】
セキュリティコントロールマイコン１２は、システムコントロールマイコン１３がＭＤメカユニット１６から取得したサウンドグループデータ、トラックモード、及び、コンテンツサイズからコンテンツハッシュを生成する。
【００３４】
システムコントロールマイコン１３は、セキュリティコントロールマイコン１２及び、ＭＤメカユニット１６（ＭＤメカコントロールマイコン２１）を制御して、記録再生装置１全体を制御する。
例えば、システムコントロールマイコン１３は、後述するデータ結合処理等を実行し、結合元となる音楽データ（トラック）のトラックモードと合致するトラックモードのトラックだけを、結合対象として選択できるように表示パネル１５に表示し、トラックの選択を受けて、それぞれのトラックを結合（ＣＯＭＢＩＮＥ）する。
なお、システムコントロールマイコン１３は、メモリを備えており、後述するトラックモード適合テーブル等を記憶可能である。
【００３５】
操作部１４は、例えば、複数のキースイッチ群からなり、利用者の操作（押下等）に従った指示情報をシステムコントロールマイコン１３に供給する。
具体的に操作部１４には、音楽データの編集を指示するための「ＴＲＡＣＫ　ＥＤＩＴキー」、編集項目の変更を指示するための「ＵＰ／ＤＯＷＮキー」、編集項目の選択を指示するための「ＳＥＴキー」、及び、編集の実行を指示するための「ＥＮＴＥＲキー」等が含まれている。そして、これらのキーが利用者により操作されると、操作部１４は、対応する指示信号をシステムコントロールマイコン１３に供給する。
【００３６】
表示パネル１５は、液晶表示パネル等からなり、システムコントロールマイコン１３から供給される表示用データに従って、記録再生装置１の動作状況を示す文字や図形等を表示する。
例えば、音楽データの編集（ＣＯＭＢＩＮＥ；結合）時に、結合元のトラックに対して、結合対象となり得るトラック（トラックモードが合致したトラック）を表すトラック番号等を表示する。
【００３７】
ＭＤメカユニット１６は、ＭＤメカコントロールマイコン２１と、ヘッドドライバ２２と、記録ヘッド２３と、スピンドルモータ２４と、光ピックアップ２５と、送りモータ２６と、ＲＦアンプ２７と、ディジタル信号処理回路２８と、バッファメモリ２９と、から構成される。
【００３８】
ＭＤメカコントロールマイコン２１は、システムコントロールマイコン１３から送られる制御コマンドに従って、ディジタル信号処理回路２８を制御する。
例えば、制御コマンドに従って、音楽データの結合（ＣＯＭＢＩＮＥ）を行う際に、ＭＤメカコントロールマイコン２１は、結合元及び結合対象の各音楽データのトラックモードをディジタル信号処理回路２８を介して読み出して、システムコントロールマイコン１３に供給する。
ヘッドドライバ２２は、記録ヘッド２３を制御して、ディスクｄに音楽データやタイトル情報等を書き込む。
記録ヘッド２３は、光ピックアップ２５によりキュリー点以上にまで加熱されたディスクｄの記録面を磁化することにより、音楽データ等をディスクｄに記録する。また、選択された２つの音楽データ（トラック）をディスクｄ上にて結合する。
【００３９】
スピンドルモータ２４は、ディスクｄを搭載する図示せぬターンテーブルを回転駆動させる。
光ピックアップ２５は、音楽データの再生時に、所定の波長のレーザ光をディスクｄの記録面に向けて照射し、その反射光を受けて電気信号に変換する。光ピックアップ２５は、変換した電気信号をＲＦアンプ２７に供給する。
また、光ピックアップ２５は、音楽データの記録時に、レーザ光をディスクｄの記録面に向けて照射し、キュリー点以上になるまで加熱する。
送りモータ２６は、ディジタル信号処理回路２８に制御され、光ピックアップ２５をディスクｄの所定位置に移動させる。
ＲＦアンプ２７は、光ピックアップ２５より供給された電気信号からＲＦ信号、フォーカスエラー信号及び、トラッキングエラー信号等を生成する。ＲＦアンプ２７は、生成したＲＦ信号等をディジタル信号処理回路２８等に供給する。
【００４０】
ディジタル信号処理回路２８は、ＭＤメカコントロールマイコン２１に制御され、スピンドルモータ２４、光ピックアップ２５、送りモータ２６及び、ヘッドドライバ２２等を制御する。
例えば、ディジタル信号処理回路２８は、ＭＤメカコントロールマイコン２１から音楽データのトラックモードの読み出しを指示されると、光ピックアップ２５や送りモータ２６等を制御して、図２に示すようなＵＴＯＣ情報から対象のトラックモード（Ｔｒａｃｋ　ｍｏｄｅ）を読み出す。
また、ＭＤメカコントロールマイコン２１から２つの音楽データ（トラック）の結合が指示されると、光ピックアップ２５やヘッドドライバ２２等を制御して、対象の各トラックをディスクｄ上にて結合する（具体的には、図２に示すようなＵＴＯＣ情報を更新する）。
バッファメモリ２９は、再生時や記録時等において、所定容量の音楽データを一時的に記憶する。
【００４１】
一方、パソコン３は、ＣＰＵ等の演算ユニット、メモリやハードディスク等の記憶素子、マウスやキーボード等の操作デバイス、ディスプレイ等の表示デバイス、そして、ＵＳＢインタフェース等を備えた汎用のパーソナルコンピュータからなる。
そして、パソコン３は、ハードディスク等にインストールされたＯＳ（Ｏｐｅｒａｔｉｎｇ　Ｓｙｓｔｅｍ）に従って稼動し、そのＯＳ上にてＮｅｔＭＤ規格に対応したアプリケーションソフトウェアを実行する。
具体的にパソコン３は、チェックアウト機能によって、ハードディスクに予め記憶した音楽データ（コンテンツ）を、記録再生装置１に転送し、ディスクｄに記録させる。
【００４２】
以下、この発明の実施の形態にかかる記録再生装置１の編集動作の一例について図５及び、図６等を参照して簡単に説明する。図５，図６は、ディスクｄに記録された音楽データを適宜結合するデータ結合処理を説明するためのフローチャートであり、図５がその前半部を表し、また、図６がその後半部を表している。なお、このデータ結合処理は、利用者による操作部１４の操作に応答して、システムコントロールマイコン１３により実行される。
【００４３】
まず、図５に示すように、システムコントロールマイコン１３は、音楽データの編集を指示するＴＲＡＣＫ　ＥＤＩＴキーが操作部１４にて入力されるまで、後続処理の実行を待機する（ステップＳ１１）。
そして、ＴＲＡＣＫ　ＥＤＩＴキーが入力されると、システムコントロールマイコン１３は、記録再生装置１において、再生動作中であり、かつ、ディスクｄへのデータの書込みが可能な状態であるか否かを判別する（ステップＳ１２）。
システムコントロールマイコン１３は、再生動作中でなく、また、書込みが可能な状態でない場合に、ステップＳ１１に処理を戻す。
【００４４】
一方、記録再生装置１において、再生動作中であり、かつ、書込みが可能な状態である場合に、システムコントロールマイコン１３は、編集項目の変更を指示するＵＰ／ＤＯＷＮキーが入力され、そして、編集項目を選択するＳＥＴキーが入力されてＣＯＭＢＩＮＥの項目が選択されるまで、後続処理の実行を待機する（ステップＳ１３〜Ｓ１５）。なお、ＵＰ／ＤＯＷＮキー及び、ＳＥＴキーは、操作部１４にて入力される。
【００４５】
ＣＯＭＢＩＮＥの項目が選択されると、システムコントロールマイコン１３は、結合元となる音楽データのトラックモードの読み出しを要求する（ステップＳ１６）。つまり、システムコントロールマイコン１３は、ＭＤメカコントロールマイコン２１に対して、再生中の音楽データに対応するトラック番号をセットし、この音楽データのトラックモードの読み出しを要求する。
そして、システムコントロールマイコン１３は、ＭＤメカコントロールマイコン２１がディジタル信号処理回路２８を制御して、図２に示すようなＵＴＯＣ情報から対応するトラックモード（Ｔｒａｃｋ　ｍｏｄｅ）の読み出しを終えるまで待機する（ステップＳ１７）。
システムコントロールマイコン１３は、ＭＤメカコントロールマイコン２１がトラックモードの読み出しを終えると、結合元のトラック番号とそのトラックモードを自己のメモリに記憶する（ステップＳ１８）。
【００４６】
そして、システムコントロールマイコン１３は、トラック番号をセットして、トラックモードの読み出しを要求する（ステップＳ１９）。つまり、システムコントロールマイコン１３は、ＭＤメカコントロールマイコン２１に対して、ディスクｄに記録されている１つの音楽データに対応するトラック番号をセットし、この音楽データのトラックモードの読み出しを要求する。
【００４７】
システムコントロールマイコン１３は、ＭＤメカコントロールマイコン２１がディジタル信号処理回路２８を制御して、トラックモードの読み出しを終えるまで待機する（ステップＳ２０）。
トラックモードの読み出しを終えると、システムコントロールマイコン１３は、トラックモード適合処理を実行する（ステップＳ２１）。
具体的にシステムコントロールマイコン１３は、図７に示すトラックモード適合処理を実行し、結合元となる音楽データのトラックモードと合致するトラックモードの音楽データを調べる。
【００４８】
すなわち、図７に示すように、システムコントロールマイコン１３は、ＭＤメカコントロールマイコン２１から供給されるトラックモードが受信完了となるまで待機する（ステップＳ４１）。
そして、トラックモードが受信完了となると、システムコントロールマイコン１３は、受信したトラックモードを特定のマスクデータによりマスクする（ステップＳ４２）。つまり、上述の図３，図４を参照して説明したように、トラックモード中におけるｄ２及びｄ８は、トラックモードの一致の判断に使用されないため、これらｄ２及びｄ８のビット値をマスクするマスクデータにより、受信したトラックモードをマスクする。
なお、上述したステップＳ１８（図５のデータ結合処理）にてメモリに記憶された結合元となる音楽データのトラックモードも、同じマスクデータによりマスクされているものとする。
【００４９】
システムコントロールマイコン１３は、結合元となる音楽データのトラックモードと、マスクしたトラックモードとが一致するか否かを判別する（ステップＳ４３）。つまり、結合元のトラックモードと、今回ディスクｄから読み出したトラックモードとが、合致するか否かを判別する。
システムコントロールマイコン１３は、各トラックモードが一致すると判別した場合、適合テーブルに適合を示す「１」をセットする（ステップＳ４４）。例えば、図８に示すよう、結合元となるトラック番号００１のトラックモードと、トラック番号００５のトラックモードとが合致した場合、システムコントロールマイコン１３は、トラック番号００５に対応する適合フラグに１をセットする。なお、結合元となるトラック番号００１に対応する適合フラグにも１がセットされる。
【００５０】
一方、各トラックモードが一致しないと判別した場合、適合テーブルに不適合を示す「０」をセットする（ステップＳ４５）。例えば、図８に示すよう、結合元となるトラック番号００１のトラックモードと、トラック番号００９のトラックモードとが合致しない場合、システムコントロールマイコン１３は、トラック番号００９に対応する適合フラグに０をセットする。
そして、トラックモード適合処理を終えると、システムコントロールマイコン１３は、図５のデータ結合処理に処理を戻す。
【００５１】
データ結合処理に処理を戻すと、システムコントロールマイコン１３は、ディスクｄに記録された全トラック分（全ての音楽データ分）のトラックモードの読み出しが、完了したか否かを判別する（ステップＳ２２）。
システムコントロールマイコン１３は、全トラック分の読み出しが完了していないと判別した場合に、ステップＳ１９に処理を戻し、上述のステップＳ１９〜Ｓ２２の処理を繰り返し実行する。
【００５２】
一方、全トラック分の読み出しが完了したと判別した場合に、システムコントロールマイコン１３は、図６に進み、結合対象となるトラックが存在するか否かを判別する（ステップＳ２３）。例えば、上述の図７のトラックモード適合処理にて作成した図８に示すような適合テーブルにおいて、適合フラグが１となっているトラックが２つ以上存在するか否かを判別する。
システムコントロールマイコン１３は、結合対象となるトラックが存在しないと判別すると、結合対象となる音楽データがディスクｄに記録されていない旨を示すメッセージを表示パネル１５に表示し（ステップＳ２４）、データ結合処理を終える。
【００５３】
一方、結合対象となるトラックが存在すると判別した場合に、システムコントロールマイコン１３は、ＵＰ／ＤＯＷＮキーが入力され、結合対象となる音楽データ（トラック番号）がＳＥＴキーにより選択されるまで、後続処理の実行を待機する（ステップＳ２５，Ｓ２６）。なお、この際、システムコントロールマイコン１３は、ＵＰ／ＤＯＷＮキーの入力に応じて、上述の図８に示すような適合テーブルを参照し、適合フラグが１となっているトラック番号（結合元のトラック番号を除く）だけを表示し、選択対象とする。
【００５４】
そして、結合対象が選択されると、システムコントロールマイコン１３は、各音楽データがプロテクト状態であるか否かを判別する（ステップＳ２７）。例えば、上述のステップＳ１８（図５）にて自己のメモリに記憶した結合元のトラックモードを参照し、最上位ビット（ｄ１；Ｗｒｉｔｅ　Ｐｒｏｔｅｃｔ）のビット値から、プロテクトトラック同士（チェックアウトによる音楽データ同士）の結合であるか否かを判別する。なお、各音楽データのトラックモードの適合が判別されているため、一方のトラックモードから判別可能である。
システムコントロールマイコン１３は、各音楽データがプロテクト状態でないと判別した場合、後述するステップＳ３１に処理を進める。
一方、各音楽データがプロテクト状態であると判別した場合に、システムコントロールマイコン１３は、「ＰＲＯＴＥＣＴＥＤ」等のメッセージを表示パネル１５に表示する（ステップＳ２８）。
【００５５】
なお、プロテクトトラック同士の結合である場合、結合後の音楽データから取得されるコンテンツハッシュと、パソコン３にて管理されているコンテンツハッシュとの整合性がとれなくなるため、チェックインすることができなくなる事態が起こり得る。このため、音楽データの結合を行わないようにしてもよい。
例えば、図５に示すステップＳ１６にて結合元のトラックモードの読み出しが要求され、ステップＳ１７にて読み出しが完了した際に、トラックモードの最上位ビット（ｄ１）が”０”（Ｗｒｉｔｅ　Ｐｒｏｔｅｃｔｅｄ）を示している場合に、「Ｃｈｅｃｋ　Ｏｕｔ　Ｃｏｎｔｅｎｔ」等のメッセージを表示パネル１５に表示し、データ結合処理をそのまま終了させてもよい。
【００５６】
そして、システムコントロールマイコン１３は、ＳＥＴキーが入力され、プロテクトトラック同士の結合が確認されるか、ＴＲＡＣＫ　ＥＤＩＴキーが入力され、編集の終了（結合を行わずに終了）が指示されるまで待機する（ステップＳ２９，Ｓ３０）。
ここで、ＴＲＡＣＫ　ＥＤＩＴキーが入力されると、システムコントロールマイコン１３は、データ結合処理を終了する。
一方、ＳＥＴキーが入力されると、システムコントロールマイコン１３は、ＣＯＭＢＩＮＥを確認するためのメッセージを表示パネル１５に表示し（ステップＳ３１）、操作部１４にてＥＮＴＥＲキーが入力されるのを待機する（ステップＳ３２）。
【００５７】
ＥＮＴＥＲキーが入力されると、システムコントロールマイコン１３は、ＣＯＭＢＩＮＥを実行する（ステップＳ３３）。すなわち、システムコントロールマイコン１３は、トラックモードの適合が判別された２つのトラックを、ＭＤメカコントロールマイコン２１を制御して、ディスクｄ上にて結合する。
【００５８】
システムコントロールマイコン１３は、ＭＤメカコントロールマイコン２１から返される実行結果が、結合の成功を示す情報であるか否かを判別する（ステップＳ３４）。
そして、システムコントロールマイコン１３は、結合が成功しなかった場合に、所定のエラーメッセージを表示パネル１５に表示し（ステップＳ３５）、一方、結合が成功した場合に、ＣＯＭＢＩＮＥの完了を示すメッセージを表示パネル１５に表示する（ステップＳ３６）。
【００５９】
上述した図５〜図７に示す各処理によって、結合元の音楽データと結合可能となる音楽データだけが選択可能となり、トラックモードの不適合から結合がエラーとなることがない。また、チェックアウトされた音楽データ（プロテクト情報がセットされたトラック）同士の結合の際に、プロテクトトラック同士の結合を示す旨のメッセージが表示されるため、結合を行うかどうかを利用者が容易に決めることができる。
つまり、結合元の音楽データと結合可能な音楽データだけが表示され選択されることになるため、従来のように、試行錯誤により結合可能な組合せの音楽データを探す必要がなくなる。また、不適合な組合せの音楽データに対して結合指示を行うことがなくなる。
また、結合しようとする音楽データがプロテクトトラックの場合に、その旨をメッセージにて表示し、利用者に知らせることができるため、チェックアウトした音楽データを不用意に編集してしまうことを防ぐことができる。
この結果、結合対象となり得るデータを適切に選択して結合することができる。
【００６０】
上記の実施の形態では、編集（ＣＯＭＢＩＮＥ）が指示された後に、ディスクｄから各音楽データのトラックモードを取得する場合について説明した。しかしながら、トラックモードを取得するタイミングは任意である。例えば、ＵＴＯＣ情報を読み出すタイミング（例えば、パワーオン後、ディスク挿入後、ディスクへの書き込み後、及び、各種編集後等）に、各音楽データのトラックモードを取得してもよい。
以下、ＵＴＯＣ情報を読み出した際に、トラックモードを取得する記録再生装置１の動作について、図９及び図１０等を参照して簡単に説明する。図９，図１０は、この発明の他の実施の形態に係るデータ結合処理を説明するためのフローチャートであり、図９は、その前半部を表し、また、図１０は、その後半部を表している。なお、このデータ結合処理は、例えば、パワーオン後やディスク挿入後に自動的に開始される。
【００６１】
まず、システムコントロールマイコン１３は、ＭＤメカコントロールマイコン２１を制御して、ＵＴＯＣ情報の読み込みが開始されるまで待機し（ステップＳ５１）、読み込みが開始されると、ディスクｄからＵＴＯＣ情報を読み出し、自己のメモリに記憶する（ステップＳ５２）。
システムコントロールマイコン１３は、トラック番号をセットして、トラックモードの読み出しを要求する（ステップＳ５３）。システムコントロールマイコン１３は、ＭＤメカコントロールマイコン２１がディジタル信号処理回路２８を制御して、トラックモードの読み出しを終えるまで待機する（ステップＳ５４）。
【００６２】
トラックモードの読み出しを終えると、システムコントロールマイコン１３は、適合テーブルにトラックモードの値をセットする（ステップＳ５５）。
具体的にシステムコントロールマイコン１３は、図１１（ａ）に示すように、トラック番号に対応する適合フラグに、読み出したトラックモードの値をセットする。
システムコントロールマイコン１３は、ディスクｄに記録された全トラック分（全ての音楽データ分）のトラックモードの読み出しが、完了したか否かを判別する（ステップＳ５６）。
システムコントロールマイコン１３は、全トラック分の読み出しが完了していないと判別した場合に、ステップＳ５３に処理を戻し、上述のステップＳ５３〜Ｓ５６の処理を繰り返し実行する。
【００６３】
一方、全トラック分の読み出しが完了したと判別した場合に、システムコントロールマイコン１３は、ＴＲＡＣＫ　ＥＤＩＴキーが入力されるまで、後続処理の実行を待機する（ステップＳ５７）。そして、ＴＲＡＣＫ　ＥＤＩＴキーが入力されると、再生動作中であり、かつ、ディスクｄへのデータの書込みが可能な状態であるか否かを判別する（ステップＳ５８）。
システムコントロールマイコン１３は、再生動作中でなく、また、書込みが可能な状態でない場合に、ステップＳ５７に処理を戻す。
【００６４】
一方、再生動作中であり、かつ、書込みが可能な状態である場合に、システムコントロールマイコン１３は、操作部１４にてＵＰ／ＤＯＷＮキーが入力され、ＣＯＭＢＩＮＥの項目がＳＥＴキーにより選択されるまで、後続処理の実行を待機する（ステップＳ５９〜Ｓ６１）。
そして、ＣＯＭＢＩＮＥの項目が選択されると、システムコントロールマイコン１３は、適合テーブルから結合元のトラックモードの値を特定する（ステップＳ６２）。そして、図１０に処理を進める。
【００６５】
図１０に進めると、システムコントロールマイコン１３は、結合対象となるトラックが存在するか否かを判別する（ステップＳ６３）。例えば、図１１（ｂ）に示すような適合テーブルにおいて、適合フラグ（トラックモード）の値が合致するトラックが２つ以上存在するか否かを判別する。なお、この場合における合致の判別も、上述の図３，図４を参照して説明したように、トラックモード中におけるｄ２及びｄ８のビット値を除いて判別される。つまり、図１１（ｂ）において、斜線にて示される各適合フラグは、それぞれ合致することとなる。
【００６６】
システムコントロールマイコン１３は、結合対象となるトラックが存在しないと判別すると、結合対象となる音楽データが存在しない旨を示すメッセージを表示パネル１５に表示し（ステップＳ６４）、データ結合処理を終える。一方、結合対象となるトラックが存在すると判別した場合に、システムコントロールマイコン１３は、ＵＰ／ＤＯＷＮキーが入力され、結合対象となる音楽データ（トラック番号）がＳＥＴキーにより選択されるまで、後続処理の実行を待機する（ステップＳ６５，Ｓ６６）。なお、この際、システムコントロールマイコン１３は、ＵＰ／ＤＯＷＮキーの入力に応じて、上述の図１１（ｂ）に示すような適合テーブルを参照し、適合フラグが合致するトラック番号（結合元のトラック番号を除く）だけを表示し、選択対象とする。
【００６７】
そして、結合対象が選択されると、システムコントロールマイコン１３は、各音楽データがプロテクト状態であるか否かを判別する（ステップＳ６７）。システムコントロールマイコン１３は、各音楽データがプロテクト状態でないと判別した場合、後述するステップＳ７１に処理を進める。
一方、各音楽データがプロテクト状態であると判別した場合に、システムコントロールマイコン１３は、「ＰＲＯＴＥＣＴＥＤ」等のメッセージを表示パネル１５に表示し（ステップＳ６８）、ＳＥＴキーが入力され、プロテクトトラック同士の結合が確認されるか、ＴＲＡＣＫ　ＥＤＩＴキーが入力され、編集の終了が指示されるまで待機する（ステップＳ６９，Ｓ７０）。
ここで、ＴＲＡＣＫ　ＥＤＩＴキーが入力されると、システムコントロールマイコン１３は、データ結合処理を終了する。
【００６８】
一方、ＳＥＴキーが入力されると、システムコントロールマイコン１３は、ＣＯＭＢＩＮＥを確認するためのメッセージを表示パネル１５に表示し（ステップＳ７１）、操作部１４にてＥＮＴＥＲキーが入力されるのを待機する（ステップＳ７２）。そして、ＥＮＴＥＲキーが入力されると、システムコントロールマイコン１３は、ＣＯＭＢＩＮＥを実行する（ステップＳ７３）。
システムコントロールマイコン１３は、ＭＤメカコントロールマイコン２１から返される実行結果が、結合の成功を示す情報であるか否かを判別する（ステップＳ７４）。
システムコントロールマイコン１３は、結合が成功しなかった場合に、所定のエラーメッセージを表示パネル１５に表示し（ステップＳ７５）、一方、結合が成功した場合に、ＣＯＭＢＩＮＥの完了を示すメッセージを表示パネル１５に表示する（ステップＳ７６）。
【００６９】
上述した図９，図１０に示す各処理によっても、結合元の音楽データと結合可能となる音楽データだけが選択可能となり、トラックモードの不適合から結合がエラーとなることがない。また、チェックアウトされた音楽データ同士の結合の際に、プロテクトトラック同士の結合を示す旨のメッセージが表示されるため、結合を行うかどうかを利用者が容易に決めることができる。
この結果、結合対象となり得るデータを適切に選択して結合することができる。
【００７０】
上記の実施の形態では、ＮｅｔＭＤ規格に対応した記録再生装置について説明したが、ＮｅｔＭＤ規格に対応していない記録再生装置でも、適宜適用可能である。また、ＭＤからなるディスクｄに音楽データを記録している場合について説明したが、音楽データ等を記録する対象の記録媒体は、ＭＤに限られず任意である。
例えば、他にＭＯ（Ｍａｇｎｅｔｏ−Ｏｐｔｉｃａｌ　ｄｉｓｋ）、ＤＶＤ−ＲＡＭ（Ｄｉｇｉｔａｌ　Ｖｅｒｓａｔｉｌｅ　Ｄｉｓｋ−ＲＡＭ）等の記録媒体に音楽データ等を記録してもよく、また、スマートメディア（登録商標）、メモリステック（登録商標）等の記録媒体に音楽データ等を記録してもよい。
更に、記録媒体に記録するデータは、音楽データに限られず、他に映像データ等であってもよい。
【００７１】
また、上記の実施の形態では、記録再生装置１及びパソコン３がそれぞれＵＳＢインタフェースを備え、そして、記録再生装置１とパソコン３との間がＵＳＢケーブルＣを介して接続されるオーディオシステムについて説明した。しかしながら、記録再生装置１及びパソコン３が備えるインタフェースは、ＵＳＢに限られず任意である。例えば、ＩＥＥＥ１３９４等のようなインタフェースであってもよく、記録再生装置１とパソコン３との間がＩＥＥＥ１３９４ケーブルを介して接続されてもよい。また、無線技術（Ｂｌｕｅｔｏｏｔｈ等）を用いて接続を行ってもよい。
【００７２】
【発明の効果】
以上説明したように、本発明によれば、結合対象となり得るデータを適切に選択して結合することができる。
【図面の簡単な説明】
【図１】本発明の実施の形態に係る記録再生装置を含んだシステムの構成の一例を示すブロック図である。
【図２】ＵＴＯＣ情報の構造を説明するための模式図である。
【図３】ＵＴＯＣ情報中のトラックモードのデータ構造を説明するための模式図である。
【図４】トラックモードを構成するビットの内、結合可否を判別するためのビットについて説明するための模式図である。
【図５】本発明の実施の形態に係るデータ結合処理の前半部を説明するためのフローチャートである。
【図６】本発明の実施の形態に係るデータ結合処理の後半部を説明するためのフローチャートである。
【図７】本発明の実施の形態に係るトラックモード適合処理を説明するためのフローチャートである。
【図８】システムコントロールマイコンのメモリ内に記憶される適合テーブルの一例を示す模式図である。
【図９】本発明の他の実施の形態に係るデータ結合処理の前半部を説明するためのフローチャートである。
【図１０】本発明の他の実施の形態に係るデータ結合処理の後半部を説明するためのフローチャートである。
【図１１】（ａ），（ｂ）共に、システムコントロールマイコンのメモリ内に記憶される適合テーブルの一例を示す模式図である。
【図１２】従来の記録再生装置の構成の一例を説明するためのブロック図である。
【図１３】従来の記録再生装置にて実行されるデータ結合処理を説明するためのフローチャートである。
【符号の説明】
１　　記録再生装置
１１　セキュリティ回路
１２　セキュリティコントロールマイコン
１３　システムコントロールマイコン
１４　操作部
１５　表示パネル
１６　ＭＤメカユニット
２１　ＭＤメカコントロールマイコン
２２　ヘッドドライバ
２３　記録ヘッド
２４　スピンドルモータ
２５　光ピックアップ
２６　送りモータ
２７　ＲＦアンプ
２８　ディジタル信号処理回路
２９　バッファメモリ
３　　パソコン
Ｃ　　ＵＳＢケーブル
【図１】
2004079006.tif 000003
【図２】
2004079006.tif 000004
【図３】
2004079006.tif 000005
【図４】
2004079006.tif 000006
【図５】
2004079006.tif 000007
【図６】
2004079006.tif 000008
【図７】
2004079006.tif 000009
【図８】
2004079006.tif 000010
【図９】
2004079006.tif 000011
【図１０】
2004079006.tif 000012
【図１１】
2004079006.tif 000013
【図１２】
2004079006.tif 000014
【図１３】
2004079006.tif 000015